(57)【特許請求の範囲】
【請求項１】
小巾でチャック付きビニール袋とテーパ状のダニ入口を備えた、該ダニ入口を、紙か薄いビニール板で形成し、該ダニ入口の根元は、ビニール袋入口に密着して締まる径とし、該後部はテーパ状に形成し、テーパ部の端部は、ダニが入る小孔を開け、テーパ部全周に、ダニが通らない程度の通気孔を無数開けたことを特徴とするダニ取り器。
【請求項２】
小巾でチャック付きビニール袋と、つまみ付きのダニ入口を備えた該ダニ入口のつまみを、プラスチック等の合成樹脂で形成し、該つまみの根元は、ビニール袋の入口に密着して締まる径とし、後部はテーパ状に形成し、また、つまみの前部から後部に向けて円すい状の凹みを形成し、凹み中心部は、やや大径のダニ通り孔を開けたことを特徴とするダニ取り器。
【請求項３】
小巾でチャック付ビニール袋と該ビニール袋に密着して締まる径のダニ入口を紙か薄いビニール板で形成すると共に、該ダニ入口の前部はラッパ状に、後部はテーパ状に形成し、テーパの端部はやや大径のダニ通り孔を開けたことを特徴とするダニ取り器。
【発明の詳細な説明】
【技術分野】
【０００１】  本発明は、簡単な構造であるが、ダニを確実に補獲できるようにした、家計にやさしい価格のダニ取り器に関する。
【背景技術】
【０００２】  従来、ダニ取り器は各種あるが、どれも高価であるため、利用し難かった。
【発明の概要】
【発明が解決しようとする課題】
【０００３】  ダニを確実に捕獲するダニ取り器を、家計にやさしい価格で、提供することを目的とする。
【課題を解決するための手段】
【０００４】  図１から図５は、小巾でチャック付きビニール袋とテーパ状のダニ入口を備えた、該ダニ入口を、紙か薄いビニール板で形成し、該ダニ入口の根元は、ビニール袋入口に密着して締まる径とし、該後部はテーパ状に形成し、該端部は、ダニが入る小孔を開け、テーパ部全周に、ダニが通らない程度の通気孔を無数開けたものである。
また、ビニール袋は、相対する両面の内、一方の面を黒色とし、他方の面は透明にしたものである。
なお、ビニール袋は、両面とも、透明にしてもよい。【０００５】  図６と図７は、小巾でチャック付きビニール袋と、つまみ付きのダニ入口を備えた該ダニ入口のつまみを、プラスチック等の合成樹脂で形成し、該つまみの根元は、ビニール袋の入口に密着して締まる径とし、該後部はテーパ状に形成し、また、つまみの前面は、円すい状の凹みを形成し、凹み中心部は、やや大径のダニ通り孔を開けたものである。【０００６】  図８は、図６と図７の応用実施例で、ダニ入口を紙か薄いビニール板で形成し、該ダニ入口の前部はラッパ状に形成し、後部はビニール袋の入口に密着して締まる径とし、該後部はテーパ状に形成し、該後端はやや大径のダニ入口を開けたものである。
【発明の効果】
【０００７】  図１から図５でダニを捕獲する時は、先ず、ビニール袋にダニが好む餌を入れ、次いで、ダニ入口を根元まで押し込めば、ダニ入口は、ダニ入口に密着して固定される。
然る後、ビニール袋の黒色側を上にして適所に配置すれば、無数の通気孔と小孔から出る匂いに誘われたダニは、ダニ入口を通り、小孔からビニール袋内に入り餌に群がる。また、通気孔と小孔は、空気が流入すると共に匂いを発散するので、連続的に多量のダニを誘引する。
したがって、大量のダニを捕獲でき、捕獲後は、ビニール袋に固定したままのダニ入口を、両手で押しつぶし、図５のように、ビニール袋内に押し込み、チャックを閉めれば、ダニは、ビニール袋内に密封されるので、簡単、且、衛生的に捨てることができる。
また、ビニール袋は、相対する一方の面を黒色とし、他方の面を透明にしたので、捕獲時は、ダニが好む暗がりになるように、黒色を上側にして配置し、捕獲状況を見る時は、裏返して透明側を、目視か拡大鏡で確認することができる。【０００８】  図６と図７は、ビニール袋にダニが好む餌を入れ、ダニ入口を根元まで、挿し込めば、ビニール袋に密着して締まり、ダニ入口はビニール袋に固定される。
然る後、適所に配置すれば、ダニ通り孔は、やや大径に形成したので、空気はよく流入し、同時に匂いを発散するので、連続的に大量のダニを捕獲することができる。
捕獲後は、つまみを外し、ビニール袋のみをチヤクして、簡単、且、衛生的に捨てられ、つまみは、新品のビニール袋に挿し込んで何回も使用できるので経済的である。【０００９】  図８は、紙か薄いビニール板で、ラッパ状のダニ入口を形成し、先端はテーパ状に形成して、ダニ入口はやや大径に形成したので、ダニは入りやすいと共に空気の流入性はよく、同時に匂いを有効に発散するので、連続的に大量のダニを捕獲することができる。
捕獲後は、図５のように、簡巣、且、衛生的に捨てることができる。【００１０】  なお、本発明の構造、使用方法きわめて簡単で、家計にやさしい価格で入手できるので、家庭において積極的に使用できる等の諸効果を有するものである。
【図面の簡単な説明】
【００１１】
【図１】  小巾でチャック付ビニール袋の平面図
【図２】  図１の右側面図
【図３】  図１のビニール袋にダニ入口を挿し込で固定した図
【図４】  図３の右側面図
【図５】  捕獲後の捨て方を示す図
【図６】  ダニ入口をプラスチック等の合成樹脂で形成した図
【図７】  図６の右側面図
【図８】  図６のダニ入口を紙か薄いビニール板で形成した図
【発明を実施するための形態】
【００】  図１から図５の１は、小巾のチャック２付きビニール袋、３はビニール袋１に挿入して固定するテーパ状のダニ入口で、紙か薄いビニール板で形成し、ダニ入口３はビニール袋１に密着して締まる径とし、該後部はテーパ状に形成し、該端部はダニが入る小孔４を開けている。
５は、ダニが通らない程度の通気孔で、テーパ部全周に無数開けている。
また、ビニール袋の相対する一方の面を黒色とし、他方の面は透明にしている。
図６と図７の３は、プラスチック等の合成樹脂で形成したダニ入口で、つまみ６の根元は、ビニール１袋に密着して固定する構造にし、後部はテーパ状に形成している。
また、つまみ６前面に円すい状の凹み７を形成し、凹み７の中心はやや大径のダニ通り孔８を開けているが平面状に形成し、表面はダニが昇りやすいように刻み目を入れてもよい。
図８は、図６と図７の応用実施例で、ダニ入口３を紙か薄いビニール板で、ラッパ９状に形成している。
【符号の説明】
【００】  １    ビニール袋            ８    ダニ通り孔
２    チャック              ９    ラッパ
３    ダニ入口
４    小孔
５    通気孔
６    つまみ
７    凹み
【要約】
【課題】  使用方法が極簡単で、家計にやさしい格安のダニ取り器を提供することを目的とする。
【解決手段】  チャック付きビニール袋に、ダニが好む餌を入れ、然る後、ダニ入口を挿し込んで、ダニを捕獲するように構成した。
これにより、ダニ取り器が発散する匂いに誘われたダニは、ダニ入口からビニール袋内に入り、餌に群がる。また、通気孔は、空気を流入すると共に匂いを発散するので、連続的に多量のダニを誘引する。
したがって、大量のダニを捕獲することができ、捕獲後は、ビニール袋に挿し込んだままのダニ入口を、両手で押し曲げて、ビニール袋内に押し込み、チヤックを閉めれば、ダニは、ビニール袋内に密封されるので、簡単、且、衛生的に捨てることができる。
【選択図】図３【図１】
0006034523.tif 000002
【図２】
0006034523.tif 000003
【図３】
0006034523.tif 000004
【図４】
0006034523.tif 000005
【図５】
0006034523.tif 000006
【図６】
0006034523.tif 000007
【図７】
0006034523.tif 000008
【図８】
0006034523.tif 000009